(57)【要約】【課題】４ラインセンサを用いた画像読取装置において、モノクロ読取の動作モードで、カラー読取用の比較的低い駆動周波数を用いて比較的高速にモノクロ読取動作を行う。【解決手段】ＣＣＤ１０１は、モノクロ読取用ラインセンサ４００ＢＷと、カラー読取用ラインセンサ４００Ｒ，４００Ｇ，４００Ｂを含む。ラインセンサ４００ＢＷは、１ラインの画像情報を受光する受光部と、この受光部で得られた複数の画素情報の第１の部分と第２の部分がそれぞれ並列に転送される第１および第２のシフトレジスタとを有する。モノクロモードでのラインセンサ４００ＢＷの受光部から第１および第２のシフトレジスタへの並列転送のための第１の駆動パルスの周期を、カラーモードでの第１の駆動パルスの周期の２倍にするとともに、モノクロモード時に第１および第２のシフトレジスタから直列にデータをシフト出力するための第２の駆動パルスを、カラーモード時の第２の駆動パルスと同じにする。【選択図】図４
2009124423.tif 000002
【特許請求の範囲】
【請求項１】
モノクロ読取およびカラー読取を行うことができる画像読取装置であって、
モノクロ読取用の第１のラインセンサと、カラー読取用の第２〜第４のラインセンサを含む撮像手段と、
この撮像手段を駆動するための少なくとも第１および第２の駆動パルスを生成する駆動パルス生成手段と、
この駆動パルス生成手段を制御する制御手段とを備え、
前記第１のラインセンサは、１ラインの画像情報を受光する受光部と、この受光部で得られた複数の画素情報の第１の部分と第２の部分がそれぞれ並列に転送される第１および第２のシフトレジスタとを有し、
前記制御手段は、モノクロモードでの前記第１のラインセンサの受光部から第１および第２のシフトレジスタへの並列転送のための第１の駆動パルスの周期を、カラーモードでの各受光部から対応する前記第２〜第４のシフトレジスタへの並列転送のための第１の駆動パルスの周期の２倍にし、
前記駆動パルス生成手段は、モノクロモード時に第１および第２のシフトレジスタから直列にデータをシフト出力するための第２の駆動パルスとして、カラーモード時に使用する前記第２〜第４のラインセンサ用の第２の駆動パルスと同じ駆動パルスを用いる
ことを特徴とする画像読取装置。
【請求項２】
前記第２〜第４のラインセンサのうちの２つのラインセンサの画像信号を直列に出力する２つの出力端子をそれぞれ、モノクロモード時に、前記第１のラインセンサの第１および第２のシフトレジスタ用の出力端子として利用することを特徴とする請求項１に記載の画像読取装置。
【請求項３】
モノクロ読取およびカラー読取を行うことができる画像読取装置であって、
モノクロ読取用の第１のラインセンサと、カラー読取用の第２〜第４のラインセンサを含む撮像手段と、
この撮像手段を駆動するための少なくとも第１および第２の駆動パルスを生成する駆動パルス生成手段と、
この駆動パルス生成手段を制御する制御手段とを備え、
前記第１のラインセンサは、１ラインの画像情報を受光する受光部と、この受光部で得られた複数の画素情報の第１、第２、第３の部分がそれぞれ並列に転送される第１、第２、第３のシフトレジスタとを有し、
前記制御手段は、モノクロモードでの前記第１のラインセンサの受光部から第１、第２、第３のシフトレジスタへの並列転送のための第１の駆動パルスの周期を、カラーモードでの各受光部から対応する前記第２〜第４のシフトレジスタへの並列転送のための第１の駆動パルスの周期を３倍にし、
前記駆動パルス生成手段は、モノクロモード時に第１、第２、第３のシフトレジスタから直列にデータをシフト出力するための第２の駆動パルスとして、カラーモード時に使用する前記第２〜第４のラインセンサ用の第２の駆動パルスと同じ駆動パルスを用いる
ことを特徴とする画像読取装置。
【請求項４】
前記第２〜第４のラインセンサの画像信号を直列に出力する３つの出力端子をそれぞれ、モノクロモード時に、前記第１のラインセンサの第１、第２、第３のシフトレジスタ用の出力端子として利用することを特徴とする請求項１に記載の画像読取装置。
【発明の詳細な説明】
【技術分野】
【０００１】
本発明は、固体撮像デバイス、特にカラー３ラインとモノクロ１ラインの４ラインセンサを用いる画像読取装置に関し、特に、その駆動パルス周波数及びモード切替を行う画像読取装置に関する。
【背景技術】
【０００２】
従来のカラーデジタル複写機等の画像読取部においては、１回の原稿走査でカラー画像を読み取るために、Ｒ（赤）、Ｇ（緑）、Ｂ（青）の各色の受光部を備えたいわゆる３ラインカラーセンサが使用され、入射光をＲＧＢに分解することによりカラー読取を行っている。
【０００３】
また、このような３ラインカラーセンサを用いて、モノクロ画像を読み取る場合には、カラーセンサのＲＧＢ３色のうち、いずれかひとつ、通常は最も感度の高いＧ（緑）出力を使用して画像を読み取る方法が採られている。
【０００４】
しかし、３ラインカラーセンサは原稿からの反射光をＲＧＢの３色に色分解するため、カラーフィルタにより分光感度領域がそれぞれ制限されている。したがって、カラーセンサの感度はカラーフィルタのないモノクロ用のラインセンサに比べ小さい。そのため、３ラインカラーセンサでモノクロ読取を行おうとした場合、感度が小さい分、モノクロ用ラインセンサほどＳＮ良く画像読取を行うことができないという問題があった。
【０００５】
この問題を解消するためにカラー用のＲＧＢ３ラインカラーセンサに、別途設けたモノクロ用ラインセンサを組み合わせたいわゆる４ラインセンサが知られている（特許文献１参照）。
【０００６】
図２に従来の４ラインセンサを用いた画像読取装置の概略構成を示す。ＣＣＤ（Charge Coupled Device）２０１は、モノクロ用ラインセンサＢＷとカラーラインセンサ（ＲＧＢ）からなる４ラインセンサを含む個体撮像デバイスである。モノクロモードの場合はモノクロ用ラインセンサＢＷで、カラーモードの場合はカラーラインセンサＲＧＢで、読取が行われる。ＣＣＤ２０１は、モノクロ用ラインセンサ（ＢＷ）用にカラーラインセンサ（Ｒ）の出力端子を共用するため選択スイッチ２０７，２０８を内蔵している。
【０００７】
制御部２０２は、ＣＰＵを含み、画像読取装置の動作を制御する。モノクロモードとカラーモードとでは、ＣＣＤ２０１を駆動する駆動パルスの周波数を異ならせている。前述のように、カラーフィルタ付きカラーセンサの感度はカラーフィルタのないモノクロ用のラインセンサに比べ小さく、カラーモードでの読取速度が制限されるからである。そのため、異なる周波数の基準クロック信号を発生するモノクロ用水晶発振子２０７とカラー用水晶発振子２０５、およびそれぞれのクロック信号から必要な駆動パルスを生成する駆動パルス生成回路２０６，２０４が設けられている。さらに、両駆動パルス生成回路２０６，２０４から出力される駆動パルスを、動作モード（モノクロモードかカラーモードか）に応じて切り替えてＣＣＤ２０１へ出力するための切り替えスイッチ２０３が設けられている。
【０００８】
切替スイッチ２０３および選択スイッチ２０７，２０８の動作は制御部２０２によって制御される。制御部２０２は、読取開始前にユーザの指示に応じて動作モードを指定して読取動作を開始する。
【０００９】
なお、特許文献１は、カラー用の駆動クロック入力端子とモノクロ用の駆動クロック入力端子を別個に設け、カラー用とモノクロ用の電荷転送レジスタを別々に駆動することにより、読取に必要のないレジスタの駆動をやめて消費電力の低減を図る技術を開示している。
【特許文献１】特開２００３−３４８２９６号公報
【発明の開示】
【発明が解決しようとする課題】
【００１０】
上述のように、従来の４ラインセンサを用いた画像読取装置の構成では、モノクロモードとカラーモードでそれぞれに適した駆動周波数を用意していた。動作モードにより駆動周波数を切り替えるために、複数の水晶発振子を用意して切替スイッチなどを追加する場合には、装置コストが上昇するという問題があった。また特に、モノクロモード用に高い周波数の水晶発振子が必要であった。
【００１１】
本発明はこのような背景においてなされたものであって、４ラインセンサを用いた画像読取装置において、モノクロ読取の動作モードで、カラー読取用の比較的低い駆動周波数を用いて比較的高速にモノクロ読取動作を行うことができるようにすることを目的とする。
【課題を解決するための手段】
【００１２】
本発明による画像読取装置は、モノクロ読取およびカラー読取を行うことができる画像読取装置であって、モノクロ読取用の第１のラインセンサと、カラー読取用の第２〜第４のラインセンサを含む撮像手段と、この撮像手段を駆動するための少なくとも第１および第２の駆動パルスを生成する駆動パルス生成手段と、この駆動パルス生成手段を制御する制御手段とを備える。前記第１のラインセンサは、１ラインの画像情報を受光する受光部と、この受光部で得られた複数の画素情報の第１の部分と第２の部分がそれぞれ並列に転送される第１および第２のシフトレジスタとを有し、前記制御手段は、モノクロモードでの前記第１のラインセンサの受光部から第１および第２のシフトレジスタへの並列転送のための第１の駆動パルスの周期を、カラーモードでの各受光部から対応する前記第２〜第４のシフトレジスタへの並列転送のための第１の駆動パルスの周期の２倍にする。前記駆動パルス生成手段は、モノクロモード時に第１および第２のシフトレジスタから直列にデータをシフト出力するための第２の駆動パルスとして、カラーモード時に使用する前記第２〜第４のラインセンサ用の第２の駆動パルスと同じ駆動パルスを用いる。
【００１３】
第２の駆動パルスの方が第１の駆動パルスより高い周波数のパルスであるが、モノクロ読取用の第１のラインセンサのシフトレジスタを第１および第２のラインセンサに２分し、そのシフトレジスタへの並列転送のための第１の駆動パルスの周期をカラー読取用の２倍としたので、モノクロモードかカラーモードかによらず、第２の駆動パルスとしてカラー読取用の比較的低い周波数のパルスを用いても、高速のモノクロ読取が可能となる。
【００１４】
前記第２〜第４のラインセンサのうちの２つのラインセンサの画像信号を直列に出力する２つの出力端子をそれぞれ、モノクロモード時に、前記第１のラインセンサの第１および第２のシフトレジスタ用の出力端子として利用するようにすれば、出力端子の個数を低減することができる。
【００１５】
モノクロ読取用の第１のラインセンサのシフトレジスタは第１、第２、第３のシフトレジスタに分割してもよい。この場合、前記制御手段は、モノクロモードでの前記第１のラインセンサの受光部から第１、第２、第３のシフトレジスタへの並列転送のための第１の駆動パルスの周期を、カラーモードでの各受光部から対応する前記第２〜第４のシフトレジスタへの並列転送のための第１の駆動パルスの周期を３倍にする。かつ、前記駆動パルス生成手段は、モノクロモード時に第１、第２、第３のシフトレジスタから直列にデータをシフト出力するための第２の駆動パルスとして、カラーモード時に使用する前記第２〜第４のラインセンサ用の第２の駆動パルスと同じ駆動パルスを用いる。これにより、モノクロモードの一層の高速化を図ることができる。
【発明の効果】
【００１６】
本発明によれば、カラー読取、モノクロ読取の各動作モードで、同じ周波数の駆動パルスを用いても、より高速なモノクロモードの読取動作を行うことが可能となる。その結果、読取速度を低下させることなく、装置コストの低減を削減することができる。
【発明を実施するための最良の形態】
【００１７】
以下、本発明の好適な実施の形態について詳細に説明する。
【００１８】
図１に、本実施の形態に係る撮像手段としての、４ラインセンサを内蔵したＣＣＤ１０１の構造例を示す。
【００１９】
ＣＣＤ１０１は、赤（Ｒ）、緑（Ｇ）、青（Ｂ）、モノクロ（ＢＷ）の４ラインのラインセンサを内蔵している。各ラインセンサは、受光部１０２、転送ゲート１０３、シフトレジスタ１０４、最終段転送ゲート１０５、アンプ１０６を有している。モノクロおよび各カラーの要素は、これらの参照番号に対して“ＢＷ”，“Ｒ”，“Ｇ”，“Ｂ”の添え字を付加して区別している。また、モノクロ用のシフトレジスタ１０４ＢＷとしては、ＯＤＤとＥＶＥＮの２個（１０４ＢＷｏ，１０４ＢＷｅ）用意されている。
【００２０】
図３（ｂ）に示すように、モノクロ用のシフトレジスタ１０４ＢＷｏ，１０４ＢＷｅの各々は、受光部１０２ＢＷの画素数であるｎ画素に対してその半分のｎ／２画素の記憶要素を有する。図の例では、受光部１０２ＢＷの奇数番目の記憶要素がシフトレジスタ１０４ＢＷｏに転送され、受光部１０２ＢＷの偶数番目の記憶要素がシフトレジスタ１０４ＢＷｅに転送される。図３（ａ）に示すように、カラー用の各シフトレジスタ（例えば１０４Ｒ）の画素数は受光部と同じくｎ画素であり、受光部１０２の記憶要素はそのまますべて、対応するシフトレジスタ１０４に転送される。
【００２１】
図１に戻り、受光部１０２は、読取対象の原稿に照射された光の反射光を受けて、その読取対象の画像の１ライン分の画像情報としての信号電荷を蓄積する部位である。転送ゲート１０３は、受光部１０２に蓄積された信号電荷をシフトレジスタ１０４に対して並列に転送（垂直転送）するためのゲートである。各転送ゲート１０３は入力端子１０９に入力される転送パルス（第１の駆動パルス）により制御される。すなわち、転送パルスにしたがって垂直転送のタイミングが決定される。
【００２２】
シフトレジスタ１０４は、転送ゲート１０３を介して垂直転送された信号電荷を一旦受領した後、出力端子方向に直列にシフト（水平転送）するためのレジスタである。各シフトレジスタ１０４は、入力端子１１０から入力されるφ１パルス（第２駆動パルス）により同時にシフトされる。すなわち、φ１パルスに同期して水平転送が行われる。
【００２３】
最終段転送ゲート１０５は、シフトレジスタ１０４の最後尾のゲートであり、入力端子１１１に入力される独立したパルスφ２Ｂにより駆動される。これにより、シフトレジスタ１０４の信号電荷は次段のアンプ１０６に送られる。
【００２４】
アンプ１０６は、電荷電圧変換を行うアンプであり、転送されてくる信号電荷を電圧信号に変換する部分である。その基本構成はコンデンサとスイッチからなり、入力端子１１２に入力されるリセット（ＲＳ）パルスによって画素単位に基準電位へのリセットを行うことで各画素の出力を得るものである。
【００２５】
選択スイッチ１０７ｏ，１０８Ｒは、それぞれ端子１１３，１１４からの入力信号により制御され、信号出力端子１１５にＢＷｏ信号あるいはＲ信号のどちらかを相補的に出力するようになっている。これにより、Ｒ信号用の信号出力端子１１５をＢＷｏ信号用に共用することができ、ＣＣＤ１０１の出力端子数が低減される。これはＣＣＤ１０１を集積回路化する場合に有用である。
【００２６】
同様に、選択スイッチ１０７ｅ，１０８Ｇは、それぞれ端子１１３，１１４からの入力信号により制御され、信号出力端子１１６にＢＷｅ信号あるいはＧ信号のどちらかを相補的に出力するようになっている。ここでは各選択スイッチはＦＥＴにより構成している。これにより、Ｇ信号用の信号出力端子１１６をＢＷｅ信号用に共用することができる。
【００２７】
アンプ１０６Ｂの出力はそのまま信号出力端子１１７へ接続される。
【００２８】
このような構造の４ラインセンサを内蔵したＣＣＤ１０１では、４つの受光部１０２ＢＷ、１０２Ｒ、１０２Ｇ、１０２Ｂのすべてで受光、蓄積が行われ、また、すべてのシフトレジスタ１０４ＢＷｏ，１０４ＢＷｅ、１０４Ｒ、１０４Ｇ、１０４Ｂを駆動して信号電荷の転送を行い、出力端子前に設けられた信号選択手段（選択スイッチ）を外部から制御することにより、カラー信号、あるいはモノクロ信号を得ることができる。
【００２９】
具体的には、モノクロ画像読取時には選択スイッチ１０７ｏ，１０７ｅ，１０８Ｒ，１０８Ｇを外部から制御して、受光部１０２ＢＷにて得られた信号を出力端子１１５，１１６に出力させる。
【００３０】
カラー読取時には、受光部１０２Ｒにて得られた信号を出力端子１１５に出力させるように選択スイッチ１０７ｏ，１０８Ｒを制御する。同時に、受光部１０２Ｇにて得られた信号を出力端子１１６に出力させるように選択スイッチ１０７ｅ，１０８Ｇを制御する。出力端子１１７からはＢ信号が出力される。
【００３１】
図４は、図１に示したＣＣＤ１０１を制御するための主要なハードウェア構成を示している。
【００３２】
ＣＣＤ１０１の内部構成は図１に示したとおりであるが、図４では概略の構成のみを示している。すなわち、受光部１０２ＢＷ、転送ゲート１０３ＢＷ、シフトレジスタ１０４ＢＷｏ，１０４ＢＷｅ、および最終段転送ゲート１０５ＢＷｏ，１０５ＢＷｅ、アンプ１０６ＢＷｏ，１０６ＢＷｅの組み合わせを、ラインセンサ４００ＢＷとして示している。また、受光部１０２Ｒ、転送ゲート１０３Ｒ、シフトレジスタ１０４Ｒ、および最終段転送ゲート１０５Ｒの組み合わせを、ラインセンサ４００Ｒとして示している。ラインセンサ４００Ｇ，４００Ｂについても同様である。
【００３３】
図４を図２と対比して分かるように、水晶発振子としては、カラー用水晶発振子４０４のみを用いてモノクロ用に共用している。カラー用水晶発振子４０４から出力される基準クロックに基づいて駆動パルス生成回路４０３は、上述したような駆動パルスとして、φ１パルス（シフトクロック）、転送パルス、ＲＳパルスを発生する。但し、転送パルスは後述するようにカラーモードとモノクロモードとでその周波数が異なっている。ＣＰＵを含む制御部４０２がその切替を行う。また、制御部４０２は、入力端子１１３を介して選択スイッチ１０７ｏ，１０７ｅに与える切替制御信号４０５をも生成する。切替制御信号４０５は反転器４０１により位相が反転され、入力端子１１４を介して、選択スイッチ１０８Ｒ，１０８Ｇ（のゲート端子）に入力される。
【００３４】
図５に、図４の構成の動作を説明するためのタイミング図を示す。図５（ａ）（ｂ）はそれぞれカラーモードとモノクロモードでの転送パルスとシフトクロックφ１のタイミング波形を模式的に示したものである。
【００３５】
カラーモードでは、所定の周波数（ｆ）の転送パルス（第１駆動パルス）に従って、受光部の各ラインの画像情報が対応するシフトレジスタに垂直転送され、シフトクロックにしたがって水平転送されていく。
【００３６】
モノクロモードでは、前記所定の周波数の２倍の周波数（２ｆ）で転送パルスが発生され、受光部１０２ＢＷの奇数画素および偶数画素の画像情報がそれぞれ対応するシフトレジスタ１０４ＢＷｏと１０４ＢＷｅに垂直転送され、さらに両シフトレジスタにおいてシフトクロックφ１に従って水平転送されていく。モノクロモードの転送パルスの周波数が２ｆとなったことにより、モノクロモードの１ラインの周期はカラーモードの１ラインの周期の半分となる。しかし、モノクロ用のシフトレジスタ１０４ＢＷをシフトレジスタ１０４ＢＷｏと１０４ＢＷｅに二分したことにより、各シフトレジスタの画素数も半分となるので、周期が半減しても同じシフトクロックφ１で１ラインの全画素を遅延なく出力処理できる。なお、出力端子の後段の画像処理部（図示せず）において、シフトレジスタ１０４ＢＷｏと１０４ＢＷｅの出力データは元の１ラインの画素データに復元される。
【００３７】
なお、この構成ではモノクロ用の受光部１０２ＢＷの１ラインの読取時間が半減するが、モノクロ用の受光部１０２ＢＷに対してはカラーフィルタを用いないので、カラーフィルタを用いる場合の光量の低減がなく、受光部の光量不足も生じない。通常、カラーフィルタ有りの場合の光量はカラーフィルタ無しの場合の１／３程度となることが知られている。この観点からは、モノクロ用の受光部での１ラインの読取周期はカラー用の受光部のそれの１／３にまで短縮しても、カラーフィルタ有りの場合と同程度の受光量が確保できる。
【００３８】
図６は、このようにモノクロ用の受光部での１ラインの読取周期をさらに短縮した第２の実施の形態のＣＣＤ１０１ａの内部構成を示している。図１に示した要素と同様の要素には同じ参照番号を付して、重複した説明は省略する。図１の構成と異なる点はモノクロ用のシフトレジスタがシフトレジスタ１０４ＢＷｐ，１０４ＢＷｑ，１０４ＢＷｒの３本に分割されることである。分割後の各シフトレジスタの画素数はｎ／３となる。各シフトレジスタの後段にはそれぞれ専用のアンプ１０６ＢＷｐ，１０６ＢＷｑ，１０６ＢＷｒが設けられる。
【００３９】
アンプ１０６ＢＷｐの出力は選択スイッチ１０７ｐを介して出力端子１１５へ接続される。アンプ１０６ＢＷｑの出力は選択スイッチ１０７ｑを介して出力端子１１６へ接続される。アンプ１０６ＢＷｒの出力は選択スイッチ１０７ｒを介して出力端子１１７へ接続される。選択スイッチ１０８Ｒ，１０８Ｇは図１と同様であるが、選択スイッチ１０８Ｂが新たに追加される。選択スイッチ１０８Ｂはアンプ１０６Ｂを選択的に出力端子１１７へ出力するよう機能する。
【００４０】
図８に、図６に示したＣＣＤ１０１ａ制御するための主要なハードウェア構成を示す。この構成は図４に示した構成と実質的に同じであるが、その駆動パルス生成回路４０３はモノクロモード時の転送パルス（第１駆動パルス）として、カラーモード時の転送パルスの３倍の周波数（３ｆ）のパルスを用いる。
【００４１】
図７（ｂ）に示すように、モノクロ用のシフトレジスタ１０４ＢＷｐ，１０４ＢＷｑ，１０４ＢＷｒの各々は、受光部１０２ＢＷの画素数であるｎ画素に対してその３分の１の画素数であるｎ／３画素の記憶要素を有する。図の例では、受光部１０２ＢＷの第ｍ番目（ｍは正の整数）の記憶要素がシフトレジスタ１０４ＢＷｐに転送され、受光部１０２ＢＷの第ｍ＋１番目の記憶要素がシフトレジスタ１０４ＢＷｑに転送され、受光部１０２ＢＷの第ｍ＋２番目の記憶要素がシフトレジスタ１０４ＢＷｒに転送される。図７（ｂ）に示すように、カラー用の各シフトレジスタ（例えば１０４Ｒ）の画素数は受光部と同じくｎ画素であり、受光部１０２の記憶要素はそのまますべて、対応するシフトレジスタ１０４に割り当てられる。
【００４２】
図９に、第２の実施の形態の動作を説明するためのタイミング図を示す。図９（ａ）（ｂ）はそれぞれカラーモードとモノクロモードでの転送パルスとシフトクロックφ１のタイミング波形を模式的に示したものである。
【００４３】
カラーモードでは、上記と同様、所定の周波数（ｆ）の転送パルスに従って、受光部の各ラインの画像情報が対応するシフトレジスタに垂直転送され、シフトレジスタにおいてシフトクロックにしたがって水平転送されていく。
【００４４】
モノクロモードでは、前記所定の周波数の３倍の周波数（３ｆ）で転送パルスが発生され、受光部１０２ＢＷの３分割された各画像情報がそれぞれ対応するシフトレジスタ１０４ＢＷｐ，１０４ＢＷｑ，１０４ＢＷｒに垂直転送され、さらにシフトレジスタにおいてシフトクロックφ１に従って水平転送されていく。モノクロモードの転送パルスの周波数が３ｆとなったことにより、モノクロモードの１ラインの周期はカラーモードの１ラインの周期の３分の１となる。しかし、モノクロ用のシフトレジスタ１０４ＢＷを３分割したことにより、各シフトレジスタの画素数も３分の１となるので、周期が１／３となっても同じシフトクロックφ１で１ラインの全画素を遅延なく出力処理できる。
【００４５】
図１０は、第１および第２の実施の形態においてＣＰＵの実行する概略処理を表したフローチャートである。このフローチャートの処理の実行手順を表すプログラムは制御部４０２内の図示しないＲＯＭ（メモリ）内に格納され、ＣＰＵがこれを解釈実行することにより、この処理が実現される。
【００４６】
画像読取開始に際して、操作部（図示せず）からユーザによる、動作モード（カラーモードかモノクロモードか）等を選択操作を受け付けて、装置の読取準備を行う（Ｓ１）。ついで、カラーモードかモノクロモードかに応じて駆動パルス生成回路を制御する（Ｓ２）。これととともに、当該動作モードに対応した切替制御信号４０５を発生する（Ｓ３）。そこで、原稿の読取動作を開始する（Ｓ４）。読取動作が終了したら（Ｓ５，Ｙｅｓ）、本処理を終了する。
【００４７】
以上、本発明の好適な実施の形態について説明したが、上記で言及した以外にも種々の変形、変更を行うことが可能である。例えば、本発明の画像読取装置はカラーデジタル複写機等の画像読取部として説明したが、カラーファクシミリ機や独立した画像読取装置であってもよい。また、特許文献１に記載のような、カラー用の駆動クロック入力端子とモノクロ用の駆動クロック入力端子を別個に設け、カラー用とモノクロ用のシフトレジスタを別々に駆動することにより、読取に必要のないシフトレジスタの駆動をやめて消費電力の低減する構成と、上記第１または第２の実施の形態の構成とを併用することも可能である。
【図面の簡単な説明】
【００４８】
【図１】本発明の実施の形態に係る撮像手段としての４ラインセンサを内蔵したＣＣＤの構造例を示す図である。
【図２】従来の４ラインセンサを用いた画像読取装置の概略構成を示す図である。
【図３】本発明の実施の形態におけるカラー用とモノクロ用のそれぞれの受光部とシフトレジスタとの関係を示した図である。
【図４】図１に示したＣＣＤを制御するための主要なハードウェア構成を示す図である。
【図５】図４の構成の動作を説明するためのタイミング図である。
【図６】本発明の第２の実施の形態のＣＣＤの内部構成を示した図である。
【図７】本発明の第２の実施の形態におけるカラー用とモノクロ用のそれぞれの受光部とシフトレジスタとの関係を示した図である。
【図８】本発明の第２の実施の形態のＣＣＤの制御するための主要なハードウェア構成を示す図である。
【図９】本発明の第２の実施の形態の動作を説明するためのタイミング図である。
【図１０】本発明の第１および第２の実施の形態においてＣＰＵの実行する概略処理を表したフローチャートである。
【符号の説明】
【００４９】
１０１…ＣＣＤ
１０２，１０２ＢＷ，１０２Ｒ，１０２Ｇ，１０２Ｂ…受光部
１０３，１０３ＢＷ，１０３Ｒ，１０３Ｇ，１０３Ｂ…転送ゲート、
１０４，１０４ＢＷｏ，１０４ＢＷｅ，１０４ＢＷｐ，１０４ＢＷｑ，１０４ＢＷｒ…シフトレジスタ
１０５，１０５ＢＷｏ，１０５ＢＷｅ，１０５Ｒ，１０５Ｇ，１０５Ｂ…最終段転送ゲート
１０６，１０６ＢＷｏ，１０６ＢＷｅ，１０６ＢＷｐ，１０６ＢＷｑ，１０６ＢＷｒ、１０６Ｒ，１６０Ｇ，１０６Ｂ…アンプ
１０７ｏ，１０７ｅ，１０７ｐ，１０７ｑ，１０７ｒ，１０８Ｒ，１０８Ｇ、１０８Ｂ…選択スイッチ
１０９…転送パルス入力端子
１１０…φ１パルス入力端子
１１１…φ２Ｂパルス入力端子
１１２…ＲＳパルス入力端子
１１３，１１４…切替信号入力端子
１１５，１１６，１１７…信号出力端子
４００ＢＷ，４００Ｒ，４００Ｇ，４００Ｂ…ラインセンサ
４０１…反転器
４０２…制御部
４０３…駆動パルス生成回路
４０４…カラー用水晶発振子
４０５…切替制御信号
【図１】
2009124423.tif 000003
【図２】
2009124423.tif 000004
【図３】
2009124423.tif 000005
【図４】
2009124423.tif 000006
【図５】
2009124423.tif 000007
【図６】
2009124423.tif 000008
【図７】
2009124423.tif 000009
【図８】
2009124423.tif 000010
【図９】
2009124423.tif 000011
【図１０】
2009124423.tif 000012